(57)【要約】【課題】人体の乳房、踵、肩等の凸部または、屈曲時に突出する膝、肘、関節等の凸部を  関節や人体の動きに従動し、その自由な動きを阻害することなく、位置ズレや脱落の心配なく、加温効果を持続できる温熱具を提供する。【解決手段】人体の乳房、踵、肩等の凸部または屈曲時に突出する人体の膝、肘、関節等の凸部を覆う大きさを有し、ブラジャー、サポーター、等で押さえて同凸部に装着する温熱具であって、温熱体を入れた袋がシート上に複数個分散状態で設けられた構成となっていることを特徴とする温熱具。【選択図】図１
2005021662.tif 000002
【特許請求の範囲】
【請求項１】
人体の乳房、踵、肩等の凸部または屈曲時に突出する人体の膝、肘、関節等の凸部を覆う大きさを有し、ブラジャー、サポーター等で押さえて同凸部に装着する温熱具であって、温熱体を入れた袋がシート上に複数個分散状態で設けられた構成となっていることを特徴とする温熱具。
【請求項２】
人体の乳房、踵、肩等の凸部または屈曲時に突出する人体の膝、肘、関節等の凸部を覆う大きさを有し、ブラジャー、サポーター等で押さえて同凸部に装着する冷熱具であって、冷熱体を入れた袋がシート上に複数個分散状態で設けられた構成となっていることを特徴とする冷熱具。
【請求項３】
人体の踵、肩等の凸部または屈曲時に突出する人体の膝、肘、関節等の凸部を覆う大きさのサポーターであって、温熱体を入れた袋がサポーターの内側に複数個分散状態で設けられた構成となっていることを特徴とするサポーター。
【請求項４】
人体の踵、肩等の凸部または屈曲時に突出する人体の膝、肘、関節等の凸部を覆う大きさのサポーターであって、冷熱体を入れた袋がサポーターの内側に複数個分散状態で設けられた構成となっていることを特徴とするサポーター。
【請求項５】
乳房を覆う大きさのブラジャーであって、温熱体を入れた袋がブラジャーの内側に、複数個分散状態で設けられた構成となっていることを特徴とするブラジャー。
【請求項６】
乳房を覆う大きさのブラジャーであって、冷熱体を入れた袋がブラジャーの内側に、複数個分散状態で設けられた構成となっていることを特徴とするブラジャー。
【請求項７】
請求項１の温熱体は、あらかじめ袋詰めされていることを特徴とする温熱体。
【請求項８】
請求項２の冷熱体は、あらかじめ袋詰めされていることを特徴とする冷熱体。
【請求項９】
請求項３の温熱体は、あらかじめ袋詰めされていることを特徴とする温熱体。
【請求項１０】
請求項４の冷熱体は、あらかじめ袋詰めされていることを特徴とする冷熱体。
【請求項１１】
請求項５の温熱体は、あらかじめ袋詰めされていることを特徴とする温熱体。
【請求項１２】
請求項６の冷熱体は、あらかじめ袋詰めされていることを特徴とする冷熱体。
【発明の詳細な説明】
【技術分野】  本発明は温熱具、冷熱具、サポーター及びブラジャーに関するものである。
【背景技術】
【従来例１】
特許文献１参照
１  構成    冷却・加温体と、当該冷却・加温体を挿脱自在に収容し外面には粘着部を有する袋体とを備えており、上記冷却・加温体は蓄冷及び蓄熱が可能な蓄冷熱剤と当該蓄冷熱剤を包含する包被体とを備えていることを特徴とする、扇形の人体部位用冷却・加温具。
【特許文献１】特開２０００−２３２９８９号公報２  問題点    人体部位用冷却・加温具は扇形で外面の粘着部により人体に固定しようとしている。しかし、肩、膝、肘、踵等の関節及び乳房等は半球状であるため、４枚は使用しなければならない。関節の動きの激しい部位に粘着部だけで固定するのは位置ズレを生じたり、脱落の可能性がある。また加温時には人体からの発汗の水分で粘着が脱落しやすくなる。乳房に装着する時には複数連設するとあるが、加温時には発汗ではがれ易くなり脱落する可能性がある。また冷却時であると器具に水蒸気が液化した水分がつき易くこれが原因で同じように脱落する可能性がある。
【従来例２】
特許文献２参照
１  構成    可撓性を有するプラスチック製袋体と、この袋体中に封入された保冷・保温剤とからなり、前記袋体は、肩、肘、膝等の関節部外面あるいは踵部外面等のコーナー部位に位置させる略中央部と、その周辺部位に当接する周辺当接部とからなり、中央部には貫通孔が形成され、周辺当接部には内部を複数の区画に分ける線状の熱融着部が形成されると共に、各区画を連通状態とした保冷・保温用パッド。【特許文献２】特開２００２−２８２２９５号公報２問題点    熱融着部と貫通孔だけでは肘、膝、肩、踵等関節の半円球状に近い曲面に密着させて覆うのはパッドが屈曲しにくいので無理がある。また、肘、膝のように屈伸の動きで１５０度近く動く関節のその屈伸の動きに密着させて装着するにはバンドで固定すると同時にその動きを吸収する形状が熱融着部だけでは不十分である。
【従来例３】
特許文献３参照
１構成    表地と裏地との間に弾力性を有するゲル状の保冷剤を配置すると共にその形状を椀状に形成したことを特徴とする乳房保冷具。【特許文献３】実開昭和５８−２８６１８号公報２問題点    乳房保冷具は、表地と裏地との間に弾力性を有するゲル状の保冷剤を配置すると共に、その形状を椀状に形成し変形しにくい形状となっている。このため、形状が異なる個々の使用者の乳房に密着させて使用できない。もちろん、Ａカップ、Ｂカップ等の各種サイズの物を用意する事は出来る。しかし、適合サイズの物を使用しても、各人の乳房の大きさの微笑な差異によって器具と乳房の間に空間ができてしまい期待する効果が得られない。
【発明の開示】
【発明が解決しようとする課題】本発明は、このような従来の問題点を解決することを目的とする。
【課題を解決するための手段】本発明に係る温熱具、冷熱具、サポーター及びブラジャーは、下記に記載のものである。
（１）人体の乳房、踵、肩等の凸部または屈曲時に突出する人体の膝、肘、関節等の凸部を覆う大きさを有し、ブラジャー、サポーター等で押さえて同凸部に装着する温熱具であって、温熱体を入れた袋がシート上に複数個分散状態で設けられた構成となっていることを特徴とする温熱具。
（２）人体の乳房、踵、肩等の凸部または屈曲時に突出する人体の膝、肘、関節等の凸部を覆う大きさを有し、ブラジャー、サポーター等で押さえて同凸部に装着する冷熱具であって、冷熱体を入れた袋がシート上に複数個分散状態で設けられた構成となっていることを特徴とする冷熱具。
（３）人体の踵、肩等の凸部または屈曲時に突出する人体の膝、肘、関節等の凸部を覆う大きさのサポーターであって、温熱体を入れた袋がサポーターの内側に複数個分散状態で設けられた構成となっていることを特徴とするサポーター。
（４）人体の踵、肩等の凸部または屈曲時に突出する人体の膝、肘、関節等の凸部を覆う大きさのサポーターであって、冷熱体を入れた袋がサポーターの内側に複数個分散状態で設けられた構成となっていることを特徴とするサポーター。
（５）乳房を覆う大きさのブラジャーであって、温熱体を入れた袋がブラジャーに複数個分散状態で設けられた構成となっていることを特徴とするブラジャー。
（６）乳房を覆う大きさのブラジャーであって、冷熱体を入れた袋がブラジャーに複数個分散状態で設けられた構成となっていることを特徴とするブラジャー。
（７）前記（１）に記載の温熱具の温熱体が、あらかじめ袋詰めされていることを特徴とする温熱具。
（８）前記（２）に記載の冷熱具の冷熱体が、あらかじめ袋詰めされていることを特徴とする冷熱具。
（９）前記（３）に記載のサポーターの温熱体が、あらかじめ袋詰めされていることを特徴とするサポーター。
（１０）前記（４）に記載のサポーターの冷熱体が、あらかじめ袋詰めされていることを特徴とするサポーター。
（１１）前記（５）に記載のブラジャーの温熱体が、あらかじめ袋詰めされていることを特徴とするブラジャー。Ａ
（１２）前記（６）に記載のブラジャーの冷熱体が、あらかじめ袋詰めされていることを特徴とするブラジャー。
【発明の効果】（１）本発明の温熱具または冷熱具は、人体の乳房、踵、肩等の凸部または屈曲時に突出する人体の膝、肘、関節等の凸部を覆うおおきさを有し、ブラジャー、サポーター等で押さえて同凸部に装着する。温熱体または冷熱体を入れた袋がシート上に複数個分散状態で設けられた構成となっている。このため、１枚の温熱具または、冷熱具は、ブラジャー、サポーター等で凸部に密着させて、位置ズレ、脱落を生じなく装着できる。
（２）発明のサポーターは人体の踵、肩等の凸部または屈曲時に突出する人体の膝、肘、関節等の凸部を覆う大きさのサポーターであり、温熱体または冷熱体を入れた袋がサポーターの内側に複数個分散状態で設けられた構成となっている。このため、サポーターを装着したとき、温熱体または冷熱体の袋の間が湾曲して凸部に密着し、位置ズレ、脱落を生じない。また関節等の身体の動きにも従動し、その自由な動きを阻害することなく、位置ズレや脱落の心配も無い。
（３）本発明のブラジャーは、乳房を覆う大きさのブラジャーであって温熱体または冷熱体を入れた袋がブラジャーに複数個分散状態で設けられた構成となっている。このため、複数個分散状態で設けられた袋と袋の間を乳房の形状に合わせて湾曲させることができ、温熱体あるいは冷熱体を乳房に密着させて装着できる。
【発明を実施するための最良の形態】以下、本発明の実施の形態を実施例によって図面を参照しながら説明する。
【実施例１】図１は温熱具の実施例を示す平面図、図２は図１の面断面図である。
図において、１は温熱体、２はシートである。シート２は不織布を２枚重ねて作ったもので人体の乳房、踵、肩等の凸部または屈曲時に突出する膝、肘等の関節を覆う大きさのものである。この実施例では直径１１センチである。
袋３はシート２をほぼ三角形状に縫い合わせてまたは熱融着で作られていて湾曲部２ａ，２ｂをはさんで６０度間隔で全部で６個設けられている。湾曲部２ａの幅は約１センチであり、中央部の円形の湾曲部２ｂの直径は２．５センチである。温熱体としては、広く使用されているものを採用することができる。具体的には、被酸化金属粉末として還元鉄粉、アルマイズト鉄粉等が使用され、無機電解質としては、塩化ナトリウム、塩化カリウム、塩化カルシウム、塩化マグネシウム等が使用されるが、塩化ナトリウムは安価であるが、廃棄した時の塩害による土壌、環境への配慮からナトリウム系塩類を含まない塩化カリウム、塩化カルシウム、塩化マグネシウム等が好ましい。炭素質物質として、活性炭、竹炭など、保水剤としてバーミュライト、シリカゲル、高吸水性樹脂、例えばポリアクリル酸素吸水樹脂、デンプン系吸水剤等が使用されている。シートとしては、木綿、麻、セルロース系等の繊維または合成繊維で作られた不織布を用いる。
【実施例２】実施例２は、図示しないが、冷熱具の実施例である。この実施例２は、実施例１における温熱体に代えて冷熱体を使用した例である。その他の構成は実施例１と同じである。冷熱体としては、水溶性高分子のポリアクリル酸、ポリアクリル酸の塩類、カルボキシルメチルセルロースナトリウム、ポリビニルアルコール、カルボキシビニルポリマー、カラギナン等から選択される、一つまたは二つ以上の混合物からなる。水が４５重量％以上含有された保冷ゲルに、溶解時に吸熱反応をおこす、尿素、硝酸ナトリウム、硝酸アンモニウム、水酸化バリウム等から選択される二つ以上の混合物がカプセル内等で結晶として混入されている。使用時に押す等の衝撃でゲル内の水分に溶解し、これに伴う吸熱過程で保冷を持続する。この保冷ゲルをプラスティク製フィルムで密閉して使用する。シートとしては、木綿、麻、セルロース系等の繊維または合成繊維で作られた不織布を用いる。
【実施例３】図３は、実施例３の温熱具の実施例を示す。図４は、図３の面断面図である。図において、１１は温熱体、１２はシートである。シート１２は不織布を２枚重ねて作ったもので、人体の乳房、踵、肩等の凸部または屈曲時に突出する膝、肘等の関節を覆う大きさのものである。この実施例では直径１１センチである。袋１３の直径は１．８センチで、シート１２上に同心円上に２列、全部で１８個設けられている。袋１３以外の部分はシート１２を２枚重ねた状態になっている。温熱体は実施例１に記載したものと同じものである。
【実施例４】実施例４は、図示しないが、冷熱具の実施例である。この実施例４は、実施例３における温熱体に代えて冷熱体を使用した例である。その他の構成は実施例３と同じである。冷熱体は実施例２に記載したものと同じものである。
【実施例５】図５は、温熱体を入れた袋がサポーターの内側に設けられたサポーターの実施例５を示す。図５はサポーターの内側を正面にした図である。図６は図５の面断面図である。図において、２１は温熱体、２４はサポーターである。サポーター２４は、伸縮性のある１枚の織布あるいは１枚の不織布を折り重ねて縫合あるいは接着して一体化したものである。サポーターは肘、あるいは膝を覆う大きさを有している。この実施例では、膝に使用するサポーターの場合で、幅１４センチ長さ２４センチである。袋２３はサポーターをほぼ三角形状に縫合あるいは接着して作られていて、湾曲部３ａ、３ｂ（シートの重ね部分で、湾曲ないし屈曲し易い部分をいう）をはさんで６０度間隔で全部で６個設けられている。湾曲部３ａの幅は１センチであり、中央部の円形の湾曲部３ｂの直径は２．５センチである。温熱体は、実施例１に記載したものと同じものである。
【実施例６】実施例６は、図示しないがサポーターの実施例である。この実施例６は、実施例５における温熱体に代えて冷熱体を使用した例である。その他の構成は実施例５と同じである。冷熱体は実施例２に記載したものと同じである。
【実施例７】実施例７は、図示しないがサポーターの実施例である。この実施例７は、実施例５における袋の形状が円形であり、その直径は１．８センチである。この袋が同心円上に２列、全部で１８個設けられている。温熱体は、実施例１に記載したものと同じものである。
【実施例８】実施例８は、図示しないがサポーターの実施例である。この実施例８は、実施例７における温熱体に代えて冷熱体を使用した例である。その他の構成は実施例７と同じである。冷熱体は実施例２に記載したものと同じである。
【実施例９】図９は温熱体を入れた袋がブラジャーの内側に設けられたブラジャーの実施例９を示す。図９はブラジャーの内側を正面にした図である。図１０は図９の面断面図である。図において、３１は温熱体、３４はブラジャーである。ブラジャー３４は市販のブラジャーの内側に温熱体を入れた袋を設けたシート３２を部分的に粘着あるいは縫合したものである。シート３２は乳房を覆う大きさを有している。この実施例では直径１１センチである。袋３３は、２枚のシートを重ね合わせほぼ三角形状に縫合または熱融着、接着で作られていて、湾曲部３２ａ、３２ｂ（シートの重ね部分で、湾曲ないし屈曲し易い部分を言う）をはさんで６０度間隔で全部で６個設けられている。湾曲部３２ａの幅は１センチあり、中央部の湾曲部３２ｂの直径は２．５センチである。温熱体は実施例１に記載したものと同じである。
【実施例１０】実施例１０は、図示しないがブラジャーの実施例である。この実施例１０は、実施例９における温熱体に代えて冷熱体を使用した例である。その他の構成は実施例９と同じである。この冷熱体は実施例２に記載したものと同じである。
【実施例１１】実施例１１は、図示しないがブラジャーの実施例である。この実施例１１は、実施例９における袋の形状が円形であり、その直径は、１．８センチである。この袋が同心円上に２列、全部で１８個設けられている。温熱体は実施例１に記載したものと同じものである。
【実施例１２】実施例１２は、図示しないがブラジャーの実施例である。この実施例１２は、実施例１１における温熱体に代えて冷熱体を使用した例である。その他の構成は実施例１１と同じである。この冷熱体は実施例２に記載したものと同じである。
なお、実施例１，３，５，７，９，１１においては、温熱体を袋の中に直接入れた。実施例２，４，６，８，１０，１２においては、冷熱体を袋の中に直接入れた。しかし、温熱体又は冷熱体は、これをあらかじめ個別に中袋詰めにして、各中袋を、あらかじめ設けておいた袋の中にいれるようにしてもよい。
【図面の簡単な説明】
【図１】実施例１の温熱具の平面図である。
【図２】図１のＡ−Ａ面断面図である。
【図３】実施例３の温熱具の平面図である。
【図４】図３のＢ−Ｂ面断面図である。
【図５】実施例５のサポーターの平面図である。
【図６】図５のＣ−Ｃ面断面図である。
【図７】実施例９のブラジャーの内側を正面にした平面図である。
【図８】図７のＤ−Ｄ面断面図である。
【符号の説明】
１、１１、２１、３１、                                          温熱体
２、１２、２２、３２、                                          シート
２ａ、２ｂ、１２ａ、１２ｂ、２２ａ、２２ｂ、３２ａ、３２ｂ、    湾曲部
３、１３、２３、３３、                                          袋
２４                                                            サポーター
３４                                                            ブラジャー
【図１】
2005021662.tif 000003
【図２】
2005021662.tif 000004
【図３】
2005021662.tif 000005
【図４】
2005021662.tif 000006
【図５】
2005021662.tif 000007
【図６】
2005021662.tif 000008
【図７】
2005021662.tif 000009
【図８】
2005021662.tif 000010